(57)【要約】【課題】エネルギー損失を最小化して水素補給システムの補給効率を増大させる。【解決手段】高圧ガス燃料車両及び燃料補給ステーション設備における全体的な効率を増大するためのシステムである。搭載用タンクにおける高圧燃料補給の圧縮熱は、搭載用タンク内部で温度依存溶融／凝固媒体によって吸収され、外部ラジエータを介して分散され得る。【選択図】図２Ａ
2006316996.tif 000002
【特許請求の範囲】
【請求項１】
高圧下での燃料ガス貯蔵用の１又は２以上の搭載用タンクを有するガス駆動車両において、
１又は２以上のタンク内の溶融／凝固熱吸収媒体が１又は２以上のタンクに対する燃料補給処理からもたらされる圧縮熱を吸収して、
吸収された熱が、１又は２以上のタンク外部のラジエータに伝わって、
この吸収された熱をタンクから外部環境に排出可能な、
システム。
【請求項２】
前記溶融／凝固熱吸収媒体は、ナフタレンである、請求項１に記載のシステム。
【請求項３】
前記吸収された熱は、ヒートパイプを介してラジエータに伝導される、請求項１又は請求項２に記載のシステム。
【請求項４】
前記１又は２以上の搭載用タンクは、燃料補給相互連結部に対して並列関係に配置されている、請求項１に記載のシステム。
【請求項５】
前記１又は２以上の搭載用タンクは、燃料補給相互連結部に対して直列関係に配置されている、請求項１に記載のシステム。
【請求項６】
高圧下での燃料ガス貯蔵用の１又は２以上の搭載用タンクを有するガス駆動車両において、
１又は２以上のタンク内の溶融／凝固熱吸収媒体が１又は２以上のタンクに対する燃料補給処理からもたらされる圧縮熱を吸収する、
システム。
【請求項７】
前記溶融／凝固熱吸収媒体は、ナフタレンである、請求項６に記載のシステム。
【発明の詳細な説明】
【技術分野】
【０００１】
この出願は、米国特許法１１９条（ｅ）に基づいて２００５年５月９日に米国に出願された、出願番号６０／６７９，１０２号明細書、名称「圧縮天然ガス又は水素用に溶融／凝固媒体を用いる高圧貯蔵タンク用のガス冷却方法」の米国特許仮出願に関し、該出願における全ての利益を有することを主張するものである。
本発明は、圧縮天然ガス又は水素用の高圧貯蔵タンクの溶融／凝固媒体を用いるガス冷却方法に関するものである。特に、本発明は、燃料補給ステーション又は燃料補給所で使用される高圧貯蔵タンクに車両が燃料補給されているときに、水素及び／又は圧縮天然ガス（ＣＮＧ）用の車両搭載用のガスタンクに効率的に燃料補給するための搭載用システム及び装置を提供するものである。
【背景技術】
【０００２】
水素が自動車の燃料として使用される場合には、燃料補給用の水素燃料貯蔵設備も開発しなければならない。典型的には、燃料電池で作動する燃料電池車両への水素の使用、又は、自動車の内燃機関へのＣＮＧの使用において、現行では、ＣＮＧは、約３６００ｐｓｉの範囲の最高使用圧力を有する搭載用燃料タンク中に貯蔵され、水素は、約５０００ｐｓｉの範囲の最高使用圧力を有する搭載用燃料タンク中に貯蔵されている。設計仕様に対してタンク中にガスの満充填の達成、及び、燃料貯蔵の全体的なシステム及び車両タンク及びこれらの相互関係におけるエネルギー効率の増大が、望まれる目標である。
【０００３】
水素駆動車は、高圧で搭載用の水素燃料を格納するために、軽量のポリマー／合成水素貯蔵タンクを使用し得る。ここで、水素駆動車両に関して、圧縮天然ガス駆動車両（ＣＮＧＶｓ）を有する本発明の用法にも関連がある。明確性のために、水素は明細書中で言及され、内容から全体的に明らかであるように、水素は圧縮天然ガス、高圧ガス、又はガスと代替可能であることを意図した用語である。車両の設計目的に対して好ましい。高圧水素燃料補給システムに対して様々な設計が、提案されている。水素駆動車が水素で充填された場合、ガス用の加圧搭載タンクは、（車両の作動中に消費される）ガス自体からの化学的エネルギー、及び、ガスが単数又は複数の車両タンクに燃料補給されて貯蔵される下での高圧に関する、力学的エネルギー及び熱的エネルギーを有するものとして特徴づけられ得る。
【０００４】
水素及びＣＮＧでの高圧燃料補給処理中に、搭載用のタンクの内部は、すなわち、ガス自体は、タンク圧力が増大するため、そして、他の補給パラメータがこの処理に影響するため、ガス圧縮によって加熱される。補給処理の後、タンクの内部のガス温度及び圧力は、燃料ガスが車両作動中に消費されるにつれて、緩やかに減少する。従来においては、補給の過程中に圧力補正を行うことなしに設計最大高圧の十分な補給タンク圧力を得ることは通常は可能ではない。燃料補給の過程中における圧力補正の一例において、タンク中に注入され格納される充填は、圧縮／加熱のため、補給時初期にはタンクの設計圧力を超えていなければならない。温度が増大すると、タンクの単位堆積当たりの受け入れ可能な燃料が減少するからである。二次的処理における他の例において、燃料ガスは、タンク中に注入される前に予備冷却される。燃料が満充填されなければ、航続距離（ビークルレンジ）に関する車両の燃費は減少する。高圧設計圧力の使用は、この状態を悪化させる。この満充填を減少させるという問題を解決しようとする第三の変形例は、補給期間中における流速をより緩やかにすることで、初期のタンクの温度の低下をもたらすというものである。しかしながら、この緩やかな（緩慢な）充填は、望ましくないし実用的ではない。加熱を避けるための燃料補給中における緩慢な流速による望ましくない結果は、燃料補給の長期化である。燃料補給前にガスを冷却して実質的な必要エネルギーを過剰にして、これにより、水素エコノミーの全体的な効率を減少させる解決策が提案されている。充填圧力が３６００ｐｓｉ又は５０００ｐｓｉ又はより低い場合に、燃料補給における圧縮熱の蓄積は、一般的に考慮しなくてよい。しかしながら、燃料補給及びタンク圧力が３６００ｐｓｉを超えるとともに５０００ｐｓｉを超えて、そして、１０，０００ｐｓｉに接近又は超える場合には、温度補正及び冷却は、タンク容量の完全な充填（満充填）を得るために、補給処理において重要な要素になる。満充填が達成される場合、これにより各タンクの補給毎の全体的な航続距離（ビークルレンジ）が増大し、全体的な顧客満足が増大する。
【発明の開示】
【発明が解決しようとする課題】
【０００５】
本発明の目的は、水素駆動車両の設備及び燃料補給所に全体的なエネルギー効率を考慮したときに、エネルギー使用を最小化して高圧ガス燃料補給システムの補給効率を増大させることである。典型的には、車両が高圧ガスで燃料補給される度に、圧縮エネルギーがタンク中の加熱をもたらす。それ故、本発明の目的は、燃料補給所でのタンクの加熱を最小化して、ガス駆動車両における搭載用燃料貯蔵タンクの効率及び補給容量を増大させる搭載用車両システム及び装置を提供することである。
【課題を解決するための手段】
【０００６】
本発明は、燃料補給処理の間において搭載用タンクの燃料補給でもたらされる圧縮熱を除去し得るシステムを提供する。公称燃料補給圧力が、３６００ｐｓｉ若しくは５０００ｐｓｉを超える又は１０，０００ｐｓｉ若しくはこれを超える範囲の圧力を有する領域において特に、著しい燃料補給時間の迅速化、燃料補給効率及び全体の航続距離が、単位体積当たりのタンク容量の増大の結果、向上する。本発明によれば、燃料補給処理の間の燃料タンク加熱に対する有効な解決策は、溶融／凝固媒体を備えるタンク内部熱吸収体が外部熱ラジエータに相互連結されている熱排出用システムを備えるものである。この溶融／凝固媒体は、急速高圧燃料補給中に内部タンクの熱を集める。この自身による溶融／凝固媒体は、燃料補給処理中に十分な熱を吸収することができ、又は、吸収した熱は、燃料補給圧縮における吸収熱を分散又は使用するのに好適な、周囲の大気又は他の車両システムに連結されたヒートパイプを介して放射し得る。本発明の実施例において、タンク内部に冷却媒体を含む中心のチューブ（セントラルチューブ）は、チューブ内に含まれる、ナフタレンのような溶融／凝固媒体を用いた質量熱吸収によって熱を吸収する。燃料補給の間、溶融／凝固媒体は、溶融中に熱を吸収する。この媒体は、液体組成物が燃料補給後に冷却されて、継続する車両動作でタンク中の燃料が消費され、これによりタンク中の温度及び圧力が低減したときに、固体状態に復帰する。代換的な実施の形態において、内部に同心の溶融／凝固媒体チューブを有するタンク内の中心のヒートパイプは、この媒体によって吸収した熱を、ラジエータ又は他の手段によってこの取り込んだ熱を分散させるタンク外部に伝導する。
【０００７】
本発明は、図面を考慮した好ましい実施の形態の下記の説明において、より十分に説明される。
【発明を実施するための最良の形態】
【０００８】
要するに、本発明のシステムは、高圧下での燃料ガス貯蔵用の搭載用タンクを有するガス駆動車両用に提供される。タンク燃料補給容量は増大し、１又は２以上の搭載用燃料タンクを燃料補給するために必要な時間は減少する。タンク内の溶融／凝固熱吸収媒体は、燃料補給処理からもたらされる圧縮熱を吸収し、この吸収した熱はタンク外部のラジエータに伝導されて、吸収された熱をタンクから外部環境に排出し得る。
【０００９】
本発明のシステムは、搭載用タンクから燃料補給圧縮における熱を回収することによって、そして、タンク燃料補給の前に、圧力過剰充填、及び／又は、ガスの燃料補給所における予備冷却の必要性を除去することによって、ガス駆動車両における燃料補給エネルギー効率を増大させる。このタンクに燃料補給するために必要な圧縮エネルギーが低減される。本発明は、十分な（設計圧力）燃料補給が燃料補給の処理で達成されるように、ステーションで車両に直接的に十分なガスを供給して高圧ガスを有する搭載用タンクに燃料補給するために必要なエネルギーを減少することにより、ＣＮＧ又は水素ステーション高圧ガス利用における全体のエネルギー効率を増大する。
【００１０】
図１Ａは、水素又はＣＮＧ車用の従来技術における高圧貯蔵タンクシステムの例を示す。第１の搭載用タンク１は、吸気ステム１３ｓを介して燃料補給ライン１３に直列な燃料ラインチェック弁１２を有する吸気弁Ｖ１を備えている。この燃料補給ラインは、水素１１をタンク中に流入できるステーション補給ノズル１０に連結可能である。タンク１４からの燃料消費ラインは、タンク排気弁Ｖ２から制御弁１６及び圧力レギュレータ１６、１８を介し、水素燃料電池スタック又は車両エンジンに燃料ライン１７、１９を介して延在している。明確性のために以下の図面において、燃料補給側の部材（エレメント）１０、１１、１２、１３ｓ、及び消費側の部材１５、１６、１７、１８、１９は図示されない場合もある。本発明の詳細に関する圧縮加熱燃料補給の現象を例示するものとして、時間に対して示された、システムの急速充填試験から算出されるガス温度Ｔ［℃］とガス圧力Ｐが図１Ｂに示されている。
【００１１】
典型的には搭載用車両タンクは、半球形の端部を有する円筒形状であり、規定温度で、約３６００ｐｓｉ又は５０００ｐｓｉで、１０，０００ｐｓｉに接近又は超える最大定格圧力容量での高圧ガスの充填を設計によって格納できる。燃料電池駆動車両に対する水素重量による典型的な車両タンク満充填は、略１５ポンドである。燃料補給の間、タンク内部の高圧ガスは圧縮され、図面中に矢印→、→等で比喩的に示した熱が発生される。温度は、ガス圧力の増大とともに上昇するが、実際問題として、搭載用タンクの定格温度又は圧力を超えたとき、搭載用タンクにおける最大許容設計温度及び／又は圧力は、満充填の妨げとなり得る。これに対して、本発明の搭載用システムは、後述するように、熱を分散するための冷却システム及び装置を提供することによって燃料補給の圧縮における熱を排出する。
【００１２】
図２Ａは、搭載用車両高圧貯蔵タンクシステムにおける実施例を示す。本発明において、この燃料タンクは、カーボンファイバで形成され、このタンクは、燃料補給→における圧縮熱を取り込む溶融／凝固媒体で充填されたアルミニウム若しくは銅、又はいずれかの合金２０で形成されるチューブを前記タンク中に備える。図２Ａにおいて、タンク２０中の熱吸収媒体チューブは、固体及び液体といった、温度に依存する、異なる物理的状態を有することが可能な温度依存の溶融／凝固材料を有する。融点が８０℃である場合、ナフタレンはこのような材料の例である。燃料補給の前に、ナフタレンは、約２０℃の周囲の温度で、実質的に固体状態２１になっている。燃料補給の過程の間、ナフタレンは比喩的に２２で示されるように、液体に溶解して、燃料補給圧縮熱を約１４７ｋＪ／ｋｂ（溶融したナフタレンの単位キログラム毎における１４７，０００ジュール）で吸収する。燃料補給後及び車両での燃料消費中、タンク温度及び圧力は減少し、液体（液状）ナフタレンは、冷却されて熱を放出し、固体状態に戻る。それ故、チューブ媒体における吸収及び溶融によって、タンク中の燃料補給の熱が除去される。
【００１３】
熱を吸収する燃料補給機能と熱を分散する燃料補給機能との変形例において、本発明は、車両作動中の問題をある程度解決し、ガスが使用されるにつれてタンク中の内部ガス温度が冷却（低下）して、タンク温度が低下する。図２Ｂに示されているように、温度依存の溶融／凝固媒体を用いて、ガス燃料補給の圧縮エネルギーから吸収された熱は、タンクの内側のガスを加熱するのと逆の方法で冷却チューブから放出され、これによりタンクガス圧力を増大して、さらに燃料ガスで作動する燃料電池又はエンジンの作動効率向上をもたらす。
【００１４】
図３Ａに示された他の実施例において、本発明の車両高圧貯蔵タンクシステムは、図２Ａ及び図２Ｂを参照して説明した実施例に類似した、熱吸収チューブを備える。しかしながら、図３Ａにおいて、タンク中にチューブ３０を含む中心部のナフタレンが、タンク内部に複数の熱吸収フィン３３ｆａを備えるように示されている。示されているように、このアセンブリは、フィン３３ｆａ及び溶融ナフタレン３１によって集められた熱を吸収して、フィン付き又はメッシュのラジエータ３５ｆｒ、ウォータチャンバ、車両フレーム又はボディ、又は、吸収した熱を開放及び／又は分配可能な任意の他の類似の機構のようなタンク外部のヒートシンクに熱を伝える、中心に同軸のヒートパイプ３４を備えている。
【００１５】
図３Ｂ及び図３Ｃは、共通のラジエータ４０に連結された複数のタンクの切換可能な配置を示す。図３Ｂにおいて、各タンク上のタンク吸気弁Ｖ１は、燃料補給ガスが両方のタンクに並行な（並列な）燃料補給で同時に流れるか、又は、直列な燃料補給で流れるかを制御するための車両制御システムによって切換可能であり得る。各タンクにおけるヒートパイプ３４ａ、３４ｂは、流通（伝導）制御スイッチＣＳ１、ＣＳ２、ＣＳ３、ＣＳ４によって並列な燃料補給モード又は直列な燃料補給モードのいずれかに切換可能である。タンク吸気弁Ｖ１の作動は、燃料補給が並列であるか直列であるかに関連する。マニホールド４１は、各タンクに関連する弁Ｖ２０ａ、Ｖ２０ｂを備え、タンクが直列に排出されるか又は並列に排出されるかを制御するために、車両作動中におけるガス消費中に同様に切換可能である。図３Ｃは、各タンクが対向して配置される、複数のタンク構造における実施例を示す。各タンクの入口５１及び出口５２でのマニホールドは、各タンクがガスを同時に燃料補給されるか、若しくは並列に燃料補給されるか、又は、並列構造若しくは直列構造のタンクを有する車両作動中にガスが消費されることを同様に制御する、切換可能弁Ｖ５ａ、Ｖ５ｂ、Ｖ５ｃ、Ｖ５ｄを備える。
【００１６】
上述したように、このシステムは、複数のタンクに適用可能である。車両制御システムは、選択可能又は制御可能な吸気弁、選択可能又は制御可能な排気弁、及び、制御手段、論理回路、又はＣＰＵに動作可能に相互連結された伝導スイッチを操作する。この車両制御システムは、圧力及び／若しくは温度、又はタンク若しくはその吸気及び排気ラインに付随する他の検知手段、効率的な車両動作用に適した所定の又は可変のパラメータに従って作動する冷却システムを備えてもよい。本発明の原理に従って、特定の制御構造及びパラメータ、弁の一及びシステムは、全体的な車両設計の考慮に基づくものであることが好ましい。例えば、圧力、温度、圧力変化、温度変化、及び他のセンサは、タンク及び／又はライン圧力及び温度を計測するために、また、車両の作動プロトコル、車両タンク、又は、本発明の原理に従って車両作動過程中の加圧燃料の燃料補給及び消費用の弁システム、に関連する熱流及び他のパラメータを開始、停止、及び調整するために、提供され得る。これ自体は本発明の一部を構成するものではないが、複数のタンクアセンブリで有用な制御システムの実施例は、本願と同一の出願人に譲渡され、２００４年１２月２日に出願された、「水素車両ガスの用法及び燃料補給システム」である、本願と同時係属の米国特許出願番号１１／００１、８８１号明細書に含まれている。
【００１７】
図４は、燃料タンクの両極端部での端部キャップ装置４０、４１を有する本発明におけるタンク１用の構造を示す。キャップ４１は、入口／出口側の反対側のタンクの端部で、ロックナット装置４５を有するプラグアセンブリ４４中のネジ（スクリュー）上の外側ネジ部４２を備える。ネジ部４２は、受け部（レシーバー）５０によってタンク内の固定位置に冷却チューブ３０及びヒートパイプ３４を保持するために、キャップ中の内側ネジ部４３と協働する。タンクにおける入口／出口側部上のキャップ４０は、ガスタンク吸気弁Ｖ１及びガス排気弁Ｖ２を備えている。伝導制御スイッチＣＳ１０は、ヒートパイプ３４と同軸に配置されて示されている。
【００１８】
本明細書で説明している実施例において、燃料補給の状態の間、各タンクに対する排気弁は閉弁して、消費の例の間、各タンクの吸気弁は閉弁している、と考えられる。
【００１９】
本発明を詳細に説明してきたが、当業者であれば、付与された説明によって、本明細書で説明された発明概念の趣旨から逸脱することなく本発明に対する変形が可能であることが理解されるであろう。それ故、図示され及び記載された特定の好ましい実施の形態に本発明の範囲が限定されることを意図したものではない。むしろ、本発明の範囲は、添付の請求項によって決定されることを意図しているのである。
【図面の簡単な説明】
【００２０】
【図１Ａ】従来技術における加圧水素又はＣＮＧの燃料補給システムの燃料補給中の車両燃料タンクの熱集積及び熱放出を示す概略的な線図である。
【図１Ｂ】急速充填試験から算出される、時間に対して示された、ガス温度Ｔ（℃）及びガス圧力Ｐのグラフを示す。
【図２Ａ】熱質量の吸収によって燃料補給の圧縮熱を吸収するために用いられる、溶融／凝固媒体で充填された内部冷却チューブを示す。タンク中のガス及びチューブ中の媒体を燃料補給後に冷却するときに、この媒体は、固体状態に戻る。
【図２Ｂ】冷媒冷却／ガス加熱段階におけるガス中へ媒体からの熱放射を示す。
【図３Ａ】搭載用タンク内部中心に配設されて、チューブ内からタンク外側の外部ラジエータに延在する内部に同心の伝導ヒートパイプを介して外部ラジエータに動作可能に連結された中心熱吸収媒体チューブを示す。
【図３Ｂ】各タンクから導入されるヒートパイプが共通の外部ラジエータに連結されている複数のタンクの実施例を示す。
【図３Ｃ】各タンクから導入されるヒートパイプが共通の外部ラジエータに連結されている複数のタンクの実施例を示す。
【図４】タンク内の媒体及びヒートパイプ冷媒システムを固定するために用いられる高圧タンク用の端部キャップ構造の実施例を示す。
【符号の説明】
【００２１】
３０  チューブ
３１  ナフタレン
３４  ヒートパイプ
４０、４１  キャップ装置
【図１Ａ】
2006316996.tif 000003
【図１Ｂ】
2006316996.tif 000004
【図２Ａ】
2006316996.tif 000005
【図２Ｂ】
2006316996.tif 000006
【図３Ａ】
2006316996.tif 000007
【図３Ｂ】
2006316996.tif 000008
【図３Ｃ】
2006316996.tif 000009
【図４】
2006316996.tif 000010
【外国語明細書】
2006316996.tif 000011
2006316996.tif 000012
2006316996.tif 000013
2006316996.tif 000014
2006316996.tif 000015
2006316996.tif 000016
2006316996.tif 000017
2006316996.tif 000018
2006316996.tif 000019
2006316996.tif 000020
2006316996.tif 000021
2006316996.tif 000022
2006316996.tif 000023
2006316996.tif 000024
2006316996.tif 000025
2006316996.tif 000026
2006316996.tif 000027
2006316996.tif 000028
2006316996.tif 000029
2006316996.tif 000030
2006316996.tif 000031
2006316996.tif 000032